(57)【要約】【課題】ディスク媒体の回転に伴う流体（空気流）が原因で生じる、ディスク媒体又は位置決め機構系の振動を低減する。【解決手段】ベースの内壁１０が磁気ディスク媒体２の外周端２ａと並走する領域と、磁気ディスク媒体２の表面に垂直で、磁気ディスク媒体２の外周端２ａに対向する面を有する、くし歯付きシュラウド１１を設ける。ベース１０とシュラウド１１との境界及びその近傍に、空気が流れるための流路を形成する。磁気ディスク媒体の高速回転により発生する空気流が、減速又は整流された後、キャリッジ組立体及び磁気ヘッド近傍に流れ込むため、磁気ヘッドの位置決め精度の向上が達成される。【選択図】  図１
2004152373.tif 000002
【特許請求の範囲】
【請求項１】
磁気ヘッドと、
前記磁気ヘッドに対向する磁気ディスク媒体と、
前記磁気ディスク媒体を回転させるスピンドルモータ及びその軸受を含むディスクスピンドル組立体と、
前記磁気ヘッドを支持するヘッド支持機構と、前記ヘッド支持機構と連接されたアームと、前記アームを保持して前記磁気ヘッドを、前記磁気ディスク媒体上で、揺動するキャリッジを有するキャリッジ組立体と、
前記ディスクスピンドル組立体と前記キャリッジ組立体とを支持するベースとを備えた磁気ディスク装置において、
前記ベースの内壁は、前記磁気ディスク媒体の外周の一部を取り囲み、
前記内壁が取り囲まない、前記磁気ディスク媒体の外周の一部であって、前記アームが揺動する部分に相当する部分は、くし歯状シュラウドを有することを特徴とする磁気ディスク装置。
【請求項２】
請求項１記載の磁気ディスク装置において、
前記くし歯状シュラウドは、更に、前記磁気ディスク媒体の回転に伴う空気流の上流側に、前記磁気ディスク媒体の間に挿入されたくし歯を有する磁気ディスク装置。
【請求項３】
請求項２記載の磁気ディスク装置において、
前記磁気ディスク媒体の間に挿入されたくし歯の根元部分は、前記磁気ディスク媒体の外周に対して、シュラウドとなっている磁気ディスク装置。
【請求項４】
請求項２記載の磁気ディスク装置において、
前記くし歯状シュラウドは、前記磁気ディスク媒体の間に挿入されたくし歯の部分によって、片持ち梁状に支持されている磁気ディスク装置。
【請求項５】
請求項２記載の磁気ディスク装置において、
前記くし歯状シュラウドは、更に、前記ベースの内壁であって前記磁気ディスク媒体の外周を取り囲まない部分と、当該くし歯状シュラウドとの間に、空気流の通路を設けた磁気ディスク装置。
【請求項６】
請求項５記載の磁気ディスク装置において、
前記空気流の通路は、磁気ディスク装置の平面図において、約５ｍｍ又はこれより小さい磁気ディスク装置。
【発明の詳細な説明】
【０００１】
【発明の属する技術分野】
本発明は、磁気ディスク媒体、光磁気ディスクその他の回転型情報記録媒体の上に、記録又は再生ヘッドを保持して、その媒体に情報を記録し又はその媒体から情報の再生を行う記録又は再生装置に係り、特に、記録媒体の回転によって発生する流体（空気流）を整流し、ヘッドの位置決め精度を向上させるための構造に関する。
【０００２】
【従来の技術】
例えば、磁気ディスク装置では、情報の書込み又は読出しの要求があり次第、磁気ヘッドは、磁気ディスク媒体上で、媒体の半径方向に、急俊に移動し、所定のトラック上に位置決めしなければならない。
従って、情報の高記録密度化、情報処理速度の高速化のためには、従来より狭いトラック間隔として情報を記憶させ、より高速に回転する磁気ディスク媒体上へ、磁気ヘッドを位置決めする際の誤差を低減しなければならない。
【０００３】
位置決め誤差を増大させる要因には、ディスク媒体の回転に同期する外乱と、その回転に非同期の外乱とがある。
非同期の外乱には、磁気ディスク装置の機構的な共振、ディスク媒体回転に伴い発生する空気流（風）による外乱（風乱）が挙げられる。転送速度を向上させるためディスク媒体を高速回転させた結果、装置内部に発生する空気流も高速化する。他方、記録密度の増大に伴い、ヘッド位置決めに高精度が要求され、空気流による影響が看過できなくなってきた。
【０００４】
風乱を低減させる従来例として特開２００１−３３８４８３号公報に開示されているものがある。ディスク媒体の外周側面近傍に所定の間隔を隔ててシュラウドを設けることによって、ディスク媒体の面外振動（以後、フラッタと称する。）を低減できるとする。
特開２０００−３２２８７０号公報では、シュラウドをディスク媒体の外周側面を取り巻くように設けることによって、更にフラッタを低減できるとする。
【０００５】
【特許文献１】特開２００１−３３８４８３号公報
【特許文献２】特開２０００−３２２８７０号公報
【発明が解決しようとする課題】
特開昭２００１−３３８４８３号公報に記載のディスク媒体の外周側面に設けられたシュラウドのように、従来、ディスク媒体の外周において外向きの空気流を抑えて、ディスク媒体の回転方向に空気を流すための壁は、位置決め機構のキャリッジアームがディスク媒体面上に挿入される部分及びその付近には設けることができなかった。キャリッジアームがディスク媒体外に設けられた回転軸の周りに回転・揺動する、位置決め機構に必然的な構成だからである。
【０００６】
キャリッジアーム近傍では、キャリッジアーム自身が空気流を擾乱するので、外向きの空気流を遮る壁がなければ空気流の圧力変動が生じる。この圧力変動がディスク媒体又は磁気ヘッド支持機構を励振するという課題を本願の発明者は見い出した。
【０００７】
特開２０００−３２２８７０号公報に記載の装置では、ディスク媒体が高速で回転した場合に、ディスク媒体の励振を低減できるとする。しかし、空気流が高速で磁気ヘッド部分に流れ込み、ヘッド支持機構と空気流との衝突が生じるため、ヘッド支持機構の振動低減の効果は疑問である。
【０００８】
【課題を解決するための手段】
ディスクスピンドル組立体と、キャリッジ組立体と、それらを支持するベースとを備えた磁気ディスク装置において、ベースの内壁が磁気ディスク媒体の外周端（側面）と並走し、磁気ディスク媒体の回転によって引き起こされるディスク円周方向の空気流を円滑にする領域と、磁気ディスク媒体の表面に垂直で、磁気ディスク媒体の外周端（側面）に対向する面を有するシュラウドを設けた領域との境界近傍に開口部を持ち、磁気ディスク媒体の回転中心から遠ざかる方向に滑らかに空気が流れるための流路を有する構成とする。
【０００９】
このシュラウドは、その内周に片持ち梁状のくし歯を有する静止壁を備え、その静止壁がディスク媒体の最外周から内側に入り込むようにディスク媒体間に挿入されている。
更に、このシュラウドは、ディスク媒体外周側面に沿って配置されたくし歯を備える。くし歯は、好ましくは、ヘッドがディスク媒体の外周に位置する状態で、ディスク媒体の回転により生じる空気流の上流側のキャリッジアームの端面よりも、くし歯の端部が下流側に位置するよう、配置されている。
【００１０】
キャリッジ組立体は、キャリッジを揺動支持する軸受部と、それを囲うように連結された胴体部分とを備える。ディスクスピンドルの回転中心軸とキャリッジの揺動中心軸を結ぶ直線上において、揺動中心軸から、キャリッジ胴体部分の外縁、シュラウド１１のキャリッジ側外縁、シュラウド１１のディスク媒体側外縁、ディスク媒体外縁の順序の位置関係がある。
シュラウド１１のディスク媒体側外縁とディスク媒体外縁との間隔は、ベース１の内壁１０とディスク媒体外縁との間隔と同等とする。シュラウド１１のキャリッジ側外縁とキャリッジ胴体部分の外縁とは、２〜３ｍｍ程度で良い。
【００１１】
このように構成することで、空気流がベース内壁を沿うように流れるため、磁気ヘッド部分に流れ込む空気流が減速され、シュラウドの内側に設けられたくし歯により整流される。このため、ヘッド支持機構の振動が抑制され、位置決め精度が向上する。
【００１２】
ディスク媒体外周部分のうち、キャリッジ組立体に面した部分にも、ディスク媒体外部に向かう空気流を抑制して、ディスク媒体の回転方向に安定して流すことができる。このため空気流の擾乱による圧力変動を低減することができる。これによりディスク媒体やキャリッジアームの不要振動を励起することなく、低振動化が図れる。
【００１３】
【発明の実施の形態】
本発明の実施の形態の一例を図１〜図４を用いて説明する。ここでは３．５型磁気ディスク装置に本発明を適用した例を示す。
図１は、磁気ディスク装置のカバーが外された状態の平面図である。ハウジングを構成するベース１には、磁気ディスク媒体２を回転させるスピンドルモータ３、磁気ヘッド４を支持するキャリッジ組立体５、キャリッジ組立体５を磁気ディスク媒体２の半径方向に回転駆動する磁気回路６が搭載されている。磁気ディスク媒体２は外径が６５ｍｍであり、クランプ７とネジ８によってスピンドルモータ３に固定され、反時計方向に１５０００ｒｐｍで回転する。ディスク媒体の回転速度によっては、ディスク媒体の外径は６５ｍｍより大きくても小さくでもよい。
【００１４】
磁気ヘッド４は、キャリッジ組立体５によって磁気ディスク媒体２の記録面上の所定位置に位置決めされ、磁気ディスク媒体２に対し情報の読出しや書込みを行う。ＦＰＣ９は、ハウジング外部に設けられた図示されない制御回路とハウジング内部との間で、キャリッジ組立体５に対する駆動電流や磁気ヘッド４に対する読出信号や書込信号を授受する。
【００１５】
磁気ディスク媒体２の外周の側面の大半は、ベース１の内壁１０によって近接して囲まれており、この領域では磁気ディスク媒体２の回転遠心力によって発生するディスク媒体から外向きの空気流を遮るようになっている。一方、ベース１には、キャリッジ組立体５や磁気回路６を搭載する領域が確保されているため、通常は、磁気ディスク媒体２の外周全てにわたってベース１の内壁１０を近接させることはできない。
そこで、磁気ディスク媒体２の外周とキャリッジ組立体５又は磁気回路６との間の空間を利用して、ディスク媒体外周側面に沿って、内壁１０に連続するような面であって、くし歯を有するシュラウド１１を設けた。
【００１６】
シュラウド１１は、ディスク媒体の回転が起こす空気流に対して、上流側のシュラウド端１１ａと、ベース１の内壁１０との間に一定の間隔が保たれる形状とし、磁気回路６へ滑らかに空気流を通すための流路の一部を形成する。シュラウド端１１ａとベース内壁１０との距離は５ｍｍとしているが、５ｍｍ以下であっても良く、また流路として機能すれば平行でなくとも良い。
【００１７】
シュラウド１１は、媒体間隙に挿入された片持ち梁状のくし歯１１ｂを有する静止壁を備える。静止壁は、ディスク媒体の最外周から内側に入り込むように、ディスク媒体の間隙に挿入される。
シュラウド１１は更に、ディスク媒体外周の側面に沿って配置される第２のくし歯１１ｃを備える。磁気ヘッド４が磁気ディスク媒体２の外周に位置する状態で、ディスク媒体の回転により生じる空気流に対して、上流側のキャリッジアームの端面５ａよりも、第２のくし歯１１ｃの端部１１ｅが下流側に位置するように配置されている。
【００１８】
磁気ディスク媒体２が反時計方向に回転するため、磁気ディスク媒体２の回転によって発生する空気流も、反時計方向へ流れる。空気流は、まず、ベース内壁１０に沿う方向に整流され、シュラウド１１に向かって突入する。空気流の大半は、磁気ディスク媒体２の回転遠心力により、ベース内壁１０に沿って磁気回路６へ流れ込む。
【００１９】
空気流の一部は、ディスク媒体間に挿入された、くし歯１１ｂの側面に衝突し、その速度は減少する。従って、磁気ヘッド４の方向に流れ込む空気流と、磁気ヘッド４との衝突が緩和され、位置決め誤差を低減することができる。更に、くし歯１１ｂと磁気ディスク媒体２に沿った第２のくし歯１１ｃにより、キャリッジ組立体５に流れ込む空気流は整流され、空気流の擾乱による圧力変動を低減させることができる。
【００２０】
図２は、図１に示されたシュラウド１１の側面図であり、図２（ａ）はディスク媒体間に挿入された、くし歯１１ｂの断面（Ａ−Ａ）を、図２（ｂ）はディスク媒体に沿った、第２のくし歯１１ｃの断面（Ｂ−Ｂ）を、それぞれ示す。
図２（ａ）において、磁気ディスク媒体２は図示しないスピンドルモータに４枚積層され、シュラウド１１はベース１の底面に固定されている。磁気ディスク媒体２の枚数は４枚に限らず、それ以下でもそれ以上であってもよい。シュラウド１１の壁面１１ｄと磁気ディスク媒体２の外周端２ａとの間隔は０．１ｍｍから０．７ｍｍが好ましい。この距離は、図１におけるベース１の内壁１０と磁気ディスク外周端２ａとの間の距離にほぼ等しい。
【００２１】
シュラウド１１のくし歯１１ｂは５本設けられ、磁気ディスク媒体２の外周から内周に向かって延伸している。くし歯１１ｂの数は磁気ディスク媒体２の積層枚数に依存する。磁気ディスク媒体２の端面及び表面とそれに対向するくし歯のすきまは、０．１ｍｍから１ｍｍが好ましい。従って、４枚の磁気ディスク媒体２の間に挿入されるくし歯の軸方向高さは、磁気ディスクの積層間隔に依存する。
磁気ディスク媒体２の外周端２ａからくし歯１１ｂの先端までの距離は、長ければ空気流の減速および整流に効果が上がるが、媒体を回転駆動するスピンドルモータの消費電力が大きくなる。ここでは１ｍｍから１５ｍｍの間で適宜、設定している。
【００２２】
図２（ｂ）において、シュラウド１１の第２のくし歯１１ｃは、本例では４本であり、これは積層される磁気ディスク媒体２の枚数と同じである。くし歯１１ｃがキャリッジアーム５ｂのすき間に差し込まれる形で配置されている。本図において第２のくし歯１１ｃの背後に、くし歯１１ｂが見えている。
第２のくし歯１１ｃの厚さは、各キャリッジアーム５ｂのすき間に、キャリッジアーム５ｂと接触しないように入る範囲で、磁気ディスク媒体２の厚みより厚くすることが望ましいが、ディスク媒体の厚みとほぼ同等でもよい。くし歯の厚みがディスク媒体の厚みより大きい方が、ディスク媒体の外向きの空気流に対して、堰き止める効果が高いからである。第２のくし歯１１ｃは、ディスク媒体の側面に沿って長いほど、堰き止めの効果がある。
【００２３】
第２のくし歯１１ｃは、くし歯１１ｂから片持ち梁のように設けられている。このため、極端に長いと、くし歯１１ｃの加工に際し端部１１ｅでの加工誤差が大きくなったり、共振周波数の低下が問題となる。
そこで、くし歯の端部１１ｅを、好ましくは、磁気ヘッド４が外周位置にあるとき（図１）、キャリッジアームにおいて、ディスク媒体の回転方向の下流側端面５ａ付近までとするのがよい。
【００２４】
【発明の効果】
本発明によれば、磁気ディスク媒体の高速回転により発生する空気流が、減速し、整流された後、キャリッジ組立体及び磁気ヘッド近傍に流れ込むため、磁気ヘッドの位置決め精度を向上させる効果がある。
【図面の簡単な説明】
【図１】本発明の実施の態様である磁気ディスク装置のカバーが外された状態の平面図である。
【図２】図２は、図１に示されたシュラウド１１の側面図であり、（ａ）はディスク媒体間に挿入された、くし歯１１ｂの断面（Ａ−Ａ）を、（ｂ）はディスク媒体に沿った、第２のくし歯１１ｃの断面（Ｂ−Ｂ）を、それぞれ示す。
【符号の説明】
１・・・ベース              ２・・・磁気ディスク
２ａ・・ディスク外周端      ３・・・スピンドルモータ
４・・・磁気ヘッド          ５・・・キャリッジ組立体
５ａ・・キャリッジアーム端  ５ｂ・・キャリッジアーム
６・・・磁気回路            ７・・・クランプ
８・・・ネジ                ９・・・ＦＰＣ
１０・・・ベース内壁        １１・・・くし歯付シュラウド
１１ａ・・シュラウド上流側端部
１１ｂ・・ディスク間に挿入されるくし歯
１１ｃ・・ディスク外周に沿って配置される第２のくし歯
１１ｄ・・シュラウド側壁
１１ｅ・・くし歯下流側端部
【図１】
2004152373.tif 000003
【図２】
2004152373.tif 000004